(57)【要約】    【課題】表示装置の表示画面が小さかったり解像度が低かったりする場合でも、見やすいインデックス一覧表示を行うことができる再生装置を提供する。    【解決手段】  コンテンツマネージメントファイル２１０の内容を読み込み、属性がフォルダ以外のアイテムの項目を抽出し、このアイテムだけで構成された簡易コンテンツマネージメントファイルを作成して、ディスク１１３に記録する。ディスク１１３内のフォルダに既に記録してあるファイルの編集・消去を禁止し、前記抽出された、属性がフォルダ以外のアイテムをメインマイコン１２２内に有するＲＡＭに格納し、このＲＡＭに格納されたファイル情報を基に、インデックス一覧表示を行う。【選択図】        図７
2006108925.tif 000002
【特許請求の範囲】
【請求項１】
複数階層から構成される複数のフォルダに格納されて管理されている複数の情報データファイルと、前記複数のフォルダ及び前記情報データファイルの構成を管理する管理ファイルとが記録された記録媒体から、前記情報データファイルと前記管理ファイルを再生する再生手段と、
前記管理ファイルに基づいて、前記複数の情報データファイルに関する情報の一覧画面を、前記フォルダの構成を表示せずに表示装置に表示する制御手段とを備えることを特徴とする再生装置。
【請求項２】
前記制御手段は、前記情報データファイルのうち、前記複数階層からなるフォルダに格納されている情報データファイルについても、前記フォルダの構成を表示せずに前記情報データファイルに関する情報を表示することを特徴とする請求項１記載の再生装置。
【請求項３】
前記制御手段は更に、前記管理ファイルに基づいて、前記複数の情報データファイルがそれぞれ格納されているフォルダの階層が少なくとも二階層以上あることを検出し、この検出結果に応じて、前記表示されている情報データファイルのフォルダの階層が二階層以上ある旨の情報を前記情報データファイルに関する情報と共に表示することを特徴とする請求項１または２記載の再生装置。
【請求項４】
前記制御手段は更に、前記検出結果に基づき、前記二階層以上のフォルダに格納された情報データファイルに関する所定の情報のみを前記管理ファイルより抽出して第２の管理ファイルを生成することを特徴とする請求項３記載の再生装置。
【請求項５】
前記制御手段は更に、前記第２の管理ファイルの存在を示す情報を前記管理ファイルに付加することを特徴とする請求項４記載の再生装置。
【請求項６】
前記制御手段は更に、前記管理ファイルに基づいて、前記複数の情報データファイルがそれぞれ格納されているフォルダの階層が少なくとも二階層以上あることを検出し、この検出結果に基づいて、前記記録媒体に記録されている情報データファイルの消去指示があった場合でも、前記二階層以上のフォルダに格納されている情報データファイルの消去を不可とすることを特徴とする請求項１記載の再生装置。
【請求項７】
前記記録媒体に対して新たに情報データファイルを記録する記録手段を備え、前記制御手段は、前記新たに記録する情報データファイルを最上位の階層のフォルダに格納して管理するための第２の管理ファイルを生成することを特徴とする請求項１記載の再生装置。
【請求項８】
前記制御手段は、前記複数の情報データファイルのタイトルの一覧画面を前記表示装置に表示することを特徴とする請求項１記載の再生装置。
【請求項９】
複数階層から構成される複数のフォルダに格納されて管理されている複数の情報データファイルと、前記複数のフォルダ及び前記情報データファイルの構成を管理する管理ファイルとが記録された記録媒体から、前記情報データファイルと前記管理ファイルを再生する再生工程と、
前記管理ファイルに基づいて、前記複数の情報データファイルに関する情報の一覧画面を、前記フォルダの構成を表示せずに表示装置に表示する制御工程とを有することを特徴とする再生方法。
【請求項１０】
コンピュータで読み取り可能な制御プログラムであって、
複数階層から構成される複数のフォルダに格納されて管理されている複数の情報データファイルと、前記複数のフォルダ及び前記情報データファイルの構成を管理する管理ファイルとが記録された記録媒体から、前記情報データファイルと前記管理ファイルを再生するステップと、
前記管理ファイルに基づいて、前記複数の情報データファイルに関する情報の一覧画面を、前記フォルダの構成を表示せずに表示装置に表示するステップとを有することを特徴とする制御プログラム。
【発明の詳細な説明】
【技術分野】
【０００１】
本発明は、記録媒体から情報データファイル等を再生することが可能なディスクビデオカメラなどの再生装置、及びこの再生装置を用いた再生方法、並びに前記再生方法を実現するための制御プログラムに関する。
【背景技術】
【０００２】
従来、画像データをデジタルデータとして、メモリカードや光ディスクなどのランダムアクセス可能な記録媒体に記録する記録再生装置が知られている。
【０００３】
この種の記録再生装置においては、画像データをファイルとして管理するのが一般的であり、また記録媒体に記録されたコンテンツを階層構造のフォルダに分類して管理することで、記録媒体に大量に記録されたコンテンツを容易に扱えるようにしている（例えば、特許文献１を参照）。
【０００４】
すなわち、上記記録再生装置では、記録媒体に記録されたファイルの内容を識別するための索引情報であるインデックスの一覧画面を例えばツリー状の表示形式で階層的に表示装置に表示し（インデックス一覧表示）、ユーザは、このインデックス一覧表示を参照して所望のファイルを指定することができる。
【特許文献１】特開２００２−２７８９９６号公報
【発明の開示】
【発明が解決しようとする課題】
【０００５】
しかしながら、上記従来の記録再生装置では、階層構造で記録された記録媒体内のファイルのインデックス一覧表示を行う場合に、次のような問題があった。
（１）階層に関する情報や、インデックスとファイルの関連情報など多くの情報をマイコンの処理で使用するために、容量の大きいメモリ（ＲＡＭ）が必要となり、コスト高となるという問題がある。
（２）ビデオカメラの液晶パネルなど、可搬型の記録再生装置に装着されている小型の液晶画面等で、前記インデックスの一覧画面をツリー状の表示形式で階層的に表示しようとしても、使用者にとって非常に見にくい表示となるといった問題もあった。
【０００６】
本発明は上記従来の問題点に鑑み、表示装置の表示画面が小さかったり解像度が低かったりする場合でも、見やすいインデックス一覧表示を行うことができる再生装置、再生方法、及び制御プログラムを提供することを目的とする。
【０００７】
また、本発明は、マイコンのメモリ容量が少なかったり、処理速度が低くかったりする場合でも、複雑な記録を行った記録媒体内のデータを再生することができる再生装置、再生方法、及び制御プログラムを提供することを他の目的とする。
【課題を解決するための手段】
【０００８】
本発明は上記目的を達成するため、複数階層から構成される複数のフォルダに格納されて管理されている複数の情報データファイルと、前記複数のフォルダ及び前記情報データファイルの構成を管理する管理ファイルとが記録された記録媒体から、前記情報データファイルと前記管理ファイルを再生する再生手段と、前記管理ファイルに基づいて、前記複数の情報データファイルに関する情報の一覧画面を、前記フォルダの構成を表示せずに表示装置に表示する制御手段とを備えることを特徴とする。
【０００９】
また、本発明は、複数階層から構成される複数のフォルダに格納されて管理されている複数の情報データファイルと、前記複数のフォルダ及び前記情報データファイルの構成を管理する管理ファイルとが記録された記録媒体から、前記情報データファイルと前記管理ファイルを再生する再生工程と、前記管理ファイルに基づいて、前記複数の情報データファイルに関する情報の一覧画面を、前記フォルダの構成を表示せずに表示装置に表示する制御工程とを有することを特徴とする。
【００１０】
また、本発明は、コンピュータで読み取り可能な制御プログラムであって、複数階層から構成される複数のフォルダに格納されて管理されている複数の情報データファイルと、前記複数のフォルダ及び前記情報データファイルの構成を管理する管理ファイルとが記録された記録媒体から、前記情報データファイルと前記管理ファイルを再生するステップと、前記管理ファイルに基づいて、前記複数の情報データファイルに関する情報の一覧画面を、前記フォルダの構成を表示せずに表示装置に表示するステップとを有することを特徴とする。
【発明の効果】
【００１１】
本発明によれば、表示装置の表示画面が小さかったり、解像度が低かったりする場合でも、見易い表示を行うことができる。
【００１２】
また、マイコン等の制御手段で使用するメモリの容量が少なくても、複雑な記録を行った記録媒体内のデータを再生することができ、また、処理能力の低いマイコンでも対応することが出来るため、再生装置をローコストで実現することができる。
【発明を実施するための最良の形態】
【００１３】
本発明の再生装置、再生方法、及び制御プログラムの実施の形態について、図面を参照しながら説明する。本実施形態の再生装置は、例えばディスクビデオカメラに適用される。
【００１４】
［第１の実施の形態］
＜ディスクビデオカメラのハード構成＞
図１は、本発明の第１の実施の形態に係る再生装置を含むディスクビデオカメラのハード構成を示すブロック図である。
【００１５】
このディスクビデオカメラは、カメラ部１００を備えている。カメラ部１００は、撮影レンズ１０１、絞り１０２、撮像素子１０３、ＣＤＳ／ＡＧＣ回路１０４、デジタル信号処理回路１０５、フレームメモリ１０６、及び画素数調整回路１０７から成る。
【００１６】
撮影レンズ１０１は、被写体を取り込み、絞り１０２は、撮像素子１０３への光量を制御する。撮像素子１０３は、取り込んだ被写体を画像信号に変換し、ＣＤＳ／ＡＧＣ回路１０４は、撮像素子１０３からの画像信号をサンプルホールドし、適正な信号レベルにする。デジタル信号処理回路１０５は、ＣＤＳ／ＡＧＣ回路１０４からの画像信号をＡ／Ｄ変換し、デジタル信号処理を行い、フレームメモリ１０６は、デジタル信号処理回路１０５からの生データを１フレーム分ずつ蓄積する。画素数調整回路１０７は、後述のＭＰＥＧ方式での記録が出来るように、フレームメモリ１０６の画素の画素数を調整する。
【００１７】
一方、音声を集音する超指向性のマイクロフォン１０９の出力側が増幅器１１０とＡ／Ｄコンバータ１１１を介して画像／音声データバス１０８に接続されている。増幅器１１０はマイクロフォンからの音声信号を適当なレベルまで増幅し、Ａ／Ｄコンバータ１１１は前記増幅された音声信号をデジタル化する。
【００１８】
そして、前記画素数調整回路１０７及びＡ／Ｄコンバータ１１１の出力側が、各ブロック間の画像データおよび音声データが行き来する画像／音声データバス１０８に接続されている。
【００１９】
さらに、画像／音声データバス１０８には、ＭＰＥＧコーデック１１２、ＮＴＳＣエンコーダ１１４、Ｄ／Ａコンバータ１１６、及び液晶ドライバ１１９が接続されている。ＭＰＥＧコーデック１１２は、前記画像／音声データバス１０８からのデジタル画像信号およびデジタル音声信号をＭＰＥＧ圧縮すると共に、リムーバブルディスク１１３に記録されたＭＰＥＧ圧縮データを伸長する。ＮＴＳＣエンコーダ１１４は、前記画像／音声データバスからのデジタル画像信号をアナログ化し、ビデオ出力端子１１５に出力する、Ｄ／Ａコンバータ１１６は、前記画像／音声データバス１０８からのデジタル音声信号をアナログ化し、オーディオ出力端子１１７に出力する。液晶ドライバ１１９は、前記画像／音声データバス１０８からのデジタル画像信号をアナログ化し、液晶ディスプレイ１１８を駆動する。液晶ディスプレイ１１８は、液晶ドライバ１１９によってアナログ化されたデジタル画像信号を表示する。
【００２０】
また、カメラ全体のモードを制御したり、操作キー１２０の操作を読んで各種機能の実行を制御するメインマイコン１２２は、制御バス１２１に接続されている。すなわち、制御バス１２１は、メインマイコン１２２からの制御信号や、操作キー１２０からの制御信号が行き来するバスであり、カメラ部１００、液晶ドライバ１１９、及び操作キー１２０等に接続されている。なお、メインマイコン１２２には、不揮発性メモリであるＥＥＰＲＯＭ１２３が接続されており、このＥＥＰＲＯＭ１２３には、メインマイコン１２２の設定や、メインマイコン１２２で収集された各種データが保存される。
【００２１】
＜ディスクの記録内容＞
図２（ａ），（ｂ）は、図１のリムーバブルディスク１１３の記録内容の一例を示す概念図である。
【００２２】
上記リムーバブルディスク１１３には、コンテンツマネージメントファイルによってコンテンツを階層的に扱う（階層記録・階層表示）ことができるフォーマット規格（以下、階層記録フォーマットと記す）で、図２（ａ），（ｂ）に示すようにフォルダ及びファイルが記録されている。すなわち、リムーバブルディスク１１３は、前記階層記録フォーマットの階層記録・階層表示に対応している機種（以下、対応機器Ａと記す）を用いてコンテンツを記録したものである。なお、対応機器Ａは、上記の図１に示した構成のディスクビデオカメラであって、前記階層記録フォーマットの階層記録・階層表示に対応している機種である。
【００２３】
Ｉ．階層記録フォーマット
対応機器Ａによってリムーバブルディスク１１３の記録内容のインデックス一覧表示を行った場合は、図２（ａ）に示すようなツリー状に階層記録されている内容が表示される。前記階層記録フォーマットによれば、ファイルシステム（ＯＳ(operating system)が管理するディスク内ファイルの管理情報）上は図２（ｂ）に示すように記録されているが、この図２（ｂ）に示すファイル構造はユーザには見せず、コンテンツマネージメントファイル２１０によって仮想フォルダが規定され、図２（ａ）に示すツリー状の仮想的な階層記録構造のみがユーザから見えるようになっている。
【００２４】
図２（ａ）に示す階層記録構造によれば、「ｒｏｏｔ」フォルダ２０１は、「結婚式」フォルダ２０２の親フォルダであるが、ディスク媒体の領域そのものを示し、フォルダとして見えることはない。「結婚式」フォルダ２０２は、「二次会」フォルダ２０３、「挙式」ファイル２０６及び「披露宴」ファイル２０７の親フォルダであり、「二次会」フォルダ２０３は、「入場」ファイル２０４と「余興」ファイル２０５の親フォルダである。
【００２５】
図２（ｂ）に示す、ファイルシステム上のファイル構造によれば、「ｒｏｏｔ」フォルダ２０８は、「１００ａｂｃｄｅ」フォルダ２０９の親フォルダであり、「１００ａｂｃｄｅ」フォルダ２０９は、「ＭＯＶ＿０００１．ＣＭＦ」ファイル２１０（上記コンテンツマネージメントファイル２１０に相当）、「ＭＯＶ＿０００１．ＭＰＧ」ファイル２１１、「ＭＯＶ＿０００２．ＭＰＧ」ファイル２１２、「ＭＯＶ＿０００３．ＭＰＧ」ファイル２１３、及び「ＭＯＶ＿０００４．ＭＰＧ」ファイル２１４の各ファイルの親フォルダである。
【００２６】
そして、「入場」ファイル２０４、「余興」ファイル２０５、「挙式」ファイル２０６、及び「披露宴」ファイル２０７の各々のファイルシステム上の実体は、それぞれ「ＭＯＶ＿０００３．ＭＰＧ」ファイル２１３、「ＭＯＶ＿０００４．ＭＰＧ」ファイル２１４、「ＭＯＶ＿０００１．ＭＰＧ」ファイル２１１、及び「ＭＯＶ＿０００２．ＭＰＧ」ファイル２１２である。
【００２７】
ＩＩ．コンテンツマネージメントファイルの内容
図３は、第１の実施の形態に係るコンテンツマネージメントファイル２１０の内容を示す説明図である。
【００２８】
同図において、３０１は、前記図２（ａ）の「結婚式」フォルダ２０２の情報を示し、属性がフォルダであって、タイトル名は「結婚式」、フォルダの中に３つアイテムがある事を示し、親フォルダは「ｒｏｏｔ」２０１であることを示している。
【００２９】
また、３０２は、前記図２（ａ）の「挙式」ファイル２０６の情報を示し、属性は動画のファイルであって、タイトル名は「挙式」、親フォルダは「結婚式」フォルダ２０２、ファイルシステム上の実体は「ＭＯＶ＿０００１．ＭＰＧ」ファイル２１１であって、記録時間は「１５分３９秒」であることを示している。
【００３０】
以下同様に、図３の３０３〜３０６に示すように、４つのアイテムについて情報が記録されており、これを元に前記図２（ａ）のツリー構造が構築されている。
【００３１】
＜対応機器Ａによるディスクの再生動作＞
図４は、対応機器Ａによるインデックス一覧表示の一例を示す表示画面図であり、前述の図２（ａ），（ｂ）に示したような階層記録フォーマットでコンテンツが記録されているリムーバブルディスク１１３のインデックス一覧表示を対応機器Ａで行った場合の一例を示している。
【００３２】
対応機器Ａは、インデックス一覧表示に先立って、前記コンテンツマネージメントファイル２１０をすべて読み込んで、前記メインマイコン１２２内に有するＲＡＭに格納し、これより以後は該ＲＡＭ内の情報によって動作する。すなわち、メインマイコン１２２は、ＲＡＭに格納された前記コンテンツマネージメントファイル２１０の内容から、コンテンツのファイルが格納されているフォルダの階層を検出する（本実施の形態では２階層）。  そして、この検出結果によって、例えば図４に示すように、２階層のフォルダ２０２，２０３にそれぞれ対応するフォルダ表示情報２０２ａ，２０３ａと共に、これらフォルダ２０２，２０３に格納されたファイル２０４，２０５，２０６，２０７にそれぞれ対応するファイル表示情報２０４ａ，２０５ａ，２０６ａ，２０７ａをツリー状に液晶ディスプレイ１１８に表示する。
【００３３】
液晶ディスプレイ１１８上に表示されたファイル表示情報２０４ａ〜２０７ａは、カメラ本体に装着された十字キーなどの操作により、いずれかを選択することができ、図４の例では、「入場」ファイル２０４に対応するファイル表示情報２０４ａが選択されている。この状態でカメラ本体の再生キーを押すと、「入場」ファイル２０４の実体である「ＭＯＶ＿０００３．ＭＰＧ」ファイル２１３が再生される。
【００３４】
＜非対応機器Ｂによるディスクの再生動作＞
Ｉ．主要な動作
上記の対応機器Ａに対して、前述の階層記録フォーマットの階層記録・階層表示に対応していない機種（以下、非対応機器Ｂと記す）での動作について、以下に説明をする。
【００３５】
なお、非対応機器Ｂは、上記の図１に示した構成を有するが、液晶ディスプレイ１１８の表示能力は対応機器Ａよりも劣るものとする。例えば、非対応機器Ｂの液晶ディスプレイ１１８は、対応機器Ａのそれよりも小型または解像度が低いものとする。
【００３６】
非対応機器Ｂでは、前記コンテンツマネージメントファイル２１０に記述してあるアイテムのうち、属性がフォルダ以外のアイテム（つまりファイル情報）のみを読み込んで、メインマイコン１２２の内に有するＲＡＭに格納する。メインマイコン１２２は、このＲＡＭに格納されたファイル情報を基に、インデックス一覧表示を行う。この場合の表示例を図５に示す。
【００３７】
図５は、非対応機器Ｂによるインデックス一覧表示の一例を示す画面図である。
【００３８】
同図に示すように、非対応機器Ｂによるインデックス一覧表示では、フォルダ表示情報は一切表示せずに、フォルダ２０２，２０３に格納されたファイル２０４，２０５，２０６，２０７にそれぞれ対応するファイル表示情報２０４ｂ，２０５ｂ，２０６ｂ，２０７ｂを平面的に並べて液晶ディスプレイ１１８に表示する。
【００３９】
液晶ディスプレイ１１８上に表示されたファイル表示情報２０４ｂ〜２０７ｂは、カメラ本体に装着された上下キーなどの操作により、いずれかを選択することができ、図５の例では、「入場」ファイル２０４に対応するファイル表示情報２０４ｂが選択されている。この状態でカメラ本体の再生キーを押すと、「入場」ファイル２０４の実体である「ＭＯＶ＿０００３．ＭＰＧ」ファイル２１３が再生される。
【００４０】
また、この非対応機器Ｂによるインデックス一覧表示の画面には、フォルダに記録されたファイルがあること（つまり、装着されたディスク１１３は対応機器Ａによってデータが記録されたものである事）を示す警告表示５０１が表示され、これによって、ディスク１１３の読み出しは許可されるが、ファイルの編集・消去は禁止されている事が示される。
【００４１】
また、非対応機器Ｂは、前記コンテンツマネージメントファイル２１０の読み込みの際、図６に示すような、非対応機器Ｂで使用する項目６０１〜６０４（属性がフォルダ以外のファイルの情報）だけで構成されたコンテンツマネージメントファイルを作成し、このコンテンツマネージメントファイルを、「ＭＯＶ＿０００２．ＣＭＦ」のファイル名で非対応機器Ｂ用の簡易コンテンツマネージメントファイルとして、ディスク１１３の「１００ａｂｃｄｅ」フォルダ２０９に書き込んでおき、次回以降のコンテンツマネージメントファイルの読み込み時に、この簡易コンテンツマネージメントファイルを使用する構成としても良い。
【００４２】
ＩＩ．インデックス一覧表示動作の全体的な流れ
次に、上記した主要な動作で説明したインデックス一覧表示動作の全体的な流れについて、図７を参照して説明する。
【００４３】
図７は、非対応機器Ｂによるインデックス一覧表示動作を示すフローチャートである。この動作は、非対応機器Ｂのメインマイコン１２２により実行される。
【００４４】
まずステップＳ７０１では、上記した簡易コンテンツマネージメントファイルが存在するか否かを判定し、簡易コンテンツマネージメントファイルが存在する場合には、ステップＳ７０２に進んで、この簡易コンテンツマネージメントファイルの内容を読み込み、メインマイコン１２２内に有するＲＡＭに格納する。そして、メインマイコン１２２は、ステップＳ７０９において、前記ＲＡＭに格納されたファイルの情報を基に、図５に示すようなインデックス一覧表示を行う。
【００４５】
一方、前記ステップＳ７０１において、簡易コンテンツマネージメントファイルが存在しないと判定された場合には、ステップＳ７０３へ進んで、コンテンツマネージメントファイル２１０の内容を読み込み、さらにステップＳ７０４において、コンテンツマネージメントファイル２１０に記述してあるアイテムのうち、属性がフォルダのアイテムが存在するか否かを判定する。
【００４６】
属性がフォルダのアイテムが存在しない場合は、コンテンツマネージメントファイル２１０に記述してあるアイテムは、属性がファイルのアイテムだけであるので、ステップＳ７０９へ進んで図５に示すようなインデックス一覧表示を行う。
【００４７】
前記ステップＳ７０４において属性がフォルダのアイテムが存在する場合には、次のステップＳ７０５において属性がフォルダ以外のアイテムの項目を抽出し、さらにステップＳ７０６で、このアイテムだけで構成された簡易コンテンツマネージメントファイルを作成して、例えば「ＭＯＶ＿０００２．ＣＭＦ」のファイル名で、ディスク１１３の「１００ａｂｃｄｅ」フォルダ２０９に記録する。
【００４８】
その後のステップＳ７０７では、ディスク１１３内のフォルダに既に記録してあるファイルの編集・消去を禁止し、続くステップＳ７０８では、その旨を示す警告表示５０１を液晶ディスプレイ１１８に表示する。
【００４９】
そして、ステップＳ７０９において、前記ステップＳ７０５で抽出された、属性がフォルダ以外のアイテム（つまりファイル情報）を、メインマイコン１２２内に有するＲＡＭに格納し、このＲＡＭに格納されたファイル情報を基に、図５に示すようなインデックス一覧表示を行う。
【００５０】
このように、本実施の形態においては、階層構造をもつフォルダによって管理されている複数のファイルが記録されたディスクのインデックス一覧表示を行う際に、フォルダの階層を表示せずに、各フォルダに格納されているファイルのみの一覧を表示することで、携帯機器などの少ないリソースでインデックス一覧表示を行うことが可能になる。
【００５１】
また、記録したコンテンツを階層的に分類して管理が出来るフォーマット（階層記録フォーマット）で記録されたディスクの再生時に、簡易的な記録内容管理ファイルである簡易コンテンツマネージメントファイルに変換してから各コンテンツを扱うことが出来るため、より少ないマイコンのＲＡＭ容量で、複雑な記録を行ったディスクの再生を行うことが出来る。また同時に、処理能力の低いマイコンでも対応することが出来るため、ローコストの記録再生装置を実現することが可能である。
【００５２】
［第２の実施の形態］
本実施の形態では、前述の階層記録フォーマットで記録されているディスク１１３に対して、非対応機器Ｂによってコンテンツを記録する場合について説明する。
【００５３】
＜非対応機器Ｂによるディスクへの記録動作＞
図８は、本発明の第２の実施の形態に係る非対応機器Ｂによるディスクへの記録動作を示すフローチャートである。また、図９は、第２の実施の形態に係るコンテンツマネージメントファイル２１０の内容を示す説明図である。
【００５４】
図８のステップＳ１１０１からステップＳ１１０６までは、前述した図７で説明したステップＳ７０１〜ステップＳ７０６と同様の処理を行う。前記ステップＳ１１０６において、前記簡易コンテンツマネージメントファイルを作成してディスク１１３に記録した後、ステップＳ１１０７へ進む。
【００５５】
ステップＳ１１０７では、元々記録されているコンテンツマネージメントファイル２１０に、図９の１００７に示すように、簡易コンテンツマネージメントファイルの存在を示す情報を記録する。続くステップＳ１１０８では、ディスク１１３内のフォルダに既に記録してあるファイルの編集・消去を禁止する。
【００５６】
そしてステップＳ１１０９において、コンテンツの記録開始の指示を待ち、記録開始の指示があれば、ステップＳ１１１０へ進んで、そのコンテンツの記録終了を待つ。コンテンツの記録終了後のステップＳ１１１１では、図１０に示すように新規に記録された「ＭＯＶ＿０００５」ファイル８１５が生成され、さらにステップＳ１１１２において、簡易コンテンツマネージメントファイルが更新される。なお、図１０は、本第２の実施の形態に係る、ディスク１１３に記録されたフォルダ及びファイルの構成を示す概念図であり、図１１は、前記更新後の簡易コンテンツマネージメントファイルの内容を示す説明図である。
【００５７】
図１１において、アイテム９０５が新規に記録されたファイルを示す情報であり、属性は動画のファイルであって、タイトル名は「ＭＯＶ＿０００５」、親フォルダは「ｒｏｏｔ」、ファイルシステム上の実体は、図１０に示した「ＭＯＶ＿０００５．ＭＰＧ」ファイル８１６であって、記録時間は「１０分４８秒」であることを示している。
【００５８】
なお、本実施の形態の非対応機器Ｂでは、記録される動画ファイルは必ず最上位の「ｒｏｏｔ」フォルダ２０１の直下に置かれ、記録直後のタイトルは、ファイルシステム上でのファイル名から拡張子「．ＭＰＧ」を除いた名称が使われるが、記録した日時を示す名称を用いても良い。
【００５９】
本実施の形態によれば、非対応機器Ｂでコンテンツの記録を行う場合、簡易コンテンツマネージメントファイル（簡易的な記録内容管理ファイル）によって管理を行うため、既に記録されている階層構造を破壊することがなく、コンテンツの記録を行うことができる。
【００６０】
なお、本発明は、上述した実施形態の装置に限定されず、複数の機器から構成されるシステムに適用しても、１つの機器から成る装置に適用しても良い。前述した実施形態の機能を実現するソフトウェアのプログラムコードを記憶した記憶媒体をシステムあるいは装置に供給し、そのシステムあるいは装置のコンピュータ（又はＣＰＵやＭＰＵ）が記憶媒体に格納されたプログラムコードを読み出し実行することによっても、完成されることは言うまでもない。
【００６１】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、不揮発性メモリを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【００６２】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部又は全部を行い、その処理によって前述した実施形態の機能が実現される場合も含まれることは言うまでもない。
【図面の簡単な説明】
【００６３】
【図１】第１の実施の形態に係る再生装置を含むディスクビデオカメラのハード構成を示すブロック図である。
【図２】図１のリムーバブルディスク１１３の記録内容の一例を示す概念図である。
【図３】第１の実施の形態に係るコンテンツマネージメントファイルの内容を示す説明図である。
【図４】対応機器Ａによるインデックス一覧表示の一例を示す表示画面図である。
【図５】非対応機器Ｂによるインデックス一覧表示の一例を示す画面図である。
【図６】簡易コンテンツマネージメントファイルの一例を示す図である。
【図７】非対応機器Ｂによるインデックス一覧表示動作を示すフローチャートである。
【図８】第２の実施の形態に係る非対応機器Ｂによるディスクへの記録動作を示すフローチャートである。
【図９】第２の実施の形態に係るコンテンツマネージメントファイルの内容を示す説明図である。
【図１０】第２の実施の形態に係る、ディスク１１３に記録されたフォルダ及びファイルの構成を示す概念図である。
【図１１】更新後の簡易コンテンツマネージメントファイルの内容を示す説明図である。
【符号の説明】
【００６４】
１０１  撮影レンズ
１０３  撮像素子
１０５  デジタル信号処理回路
１０８  画像／音声データバス
１１２  ＭＰＥＧコーデック
１１３  リムーバブルディスク
１１８  液晶ディスプレイ
１１９  液晶ドライバ
１２０  操作キー
１２１  制御バス
１２２  メインマイコン
１２３  ＥＥＰＲＯＭ
【図１】
2006108925.tif 000003
【図２】
2006108925.tif 000004
【図３】
2006108925.tif 000005
【図４】
2006108925.tif 000006
【図５】
2006108925.tif 000007
【図６】
2006108925.tif 000008
【図７】
2006108925.tif 000009
【図８】
2006108925.tif 000010
【図９】
2006108925.tif 000011
【図１０】
2006108925.tif 000012
【図１１】
2006108925.tif 000013